(57)【要約】【課題】スリープ状態から通常状態への復帰を無駄なく簡単な操作で行うことができる携帯端末を提供する。【解決手段】携帯端末は、情報入力モード／電源操作モード切換手段を有する。情報入力モード／電源操作モード切換手段は、携帯端末制御手段の制御により、タッチパネルから入力されるタッチ入力信号の利用の仕方が異なる２つのモードの切り替えを行う。一方の情報入力モードでは、タッチ入力信号を、そのまま入力情報受付手段に伝送し、入力情報として利用する。他方の電源操作モードでは、タッチ入力信号を、電源状態をスリープ状態から通常状態に復帰させるトリガとして利用する。このモードでタッチ入力を行うと、携帯端末の電源状態をスリープ状態から通常状態に復帰させることができる。【選択図】      図１
2019016902.tif 000002
【特許請求の範囲】
【請求項１】
携帯端末を制御する携帯端末制御手段と、
タッチ操作で前記携帯端末に情報を入力するためのタッチパネルと、
前記タッチパネルからのタッチ入力信号を入力情報として受付ける情報入力受付手段と、
前記携帯端末の電源状態を操作する電源操作手段と、
前記電源操作手段に電源操作を実行させるための電源操作キーと、
前記携帯端末制御手段の制御により、前記タッチ入力信号を前記情報入力受付手段に出力する情報入力モードと、前記タッチ入力信号を前記電源操作手段が電源操作を実行するトリガとする電源操作モードとを切り替える情報入力モード／電源操作モード切換手段と
を有することを特徴とする携帯端末。
【請求項２】
前記情報入力モード／電源操作モード切換手段が、
前記タッチ入力信号の出力先を、前記情報入力受付手段と前記電源操作手段のいずれにするかを選択するスイッチ
を有することを特徴とする請求項１に記載の携帯端末。
【請求項３】
前記携帯端末の状態または外部環境を計測するセンサと、
前記センサの出力に基づいてユーザの前記携帯端末の操作開始を予知する操作開始予知部と
を有することを特徴とする請求項１または請求項２に記載の携帯端末。
【請求項４】
前記携帯端末制御手段が、
所定時間前記携帯端末が操作されなかった場合に、前記携帯端末の電源をスリープ状態にする電源制御手段を有し、
前記情報入力モード／電源操作モード切換手段が、前記携帯端末の電源が前記スリープ状態の場合に前記電源操作モードを選択する
ことを特徴とする請求項１乃至３のいずれか一項に記載の携帯端末。
【請求項５】
携帯端末の状態または外部環境に応じて
タッチパネルからのタッチ入力信号を入力情報として受付ける情報入力モードと、
前記タッチ入力信号を電源操作のトリガとする電源操作モードと、
のいずれかを選択する
ことを特徴とする携帯端末の制御方法。
【請求項６】
前記情報入力モードと前記電源操作モードとの切り替えを電気的な接続先を変えるスイッチで行う
ことを特徴とする請求項５に記載の携帯端末の制御方法。
【請求項７】
端末の状態または外部環境をセンサで計測し、
前記センサの出力に基づいてユーザの前記携帯端末の操作開始を予知し、
前記操作開始の予知に基づいて、前記情報入力モードと前記電源操作モードのいずれを選択するか決定する
ことを特徴とする請求項５または６に記載の携帯端末の制御方法。
【請求項８】
所定時間前記携帯端末が操作されなかった場合に、前記携帯端末の電源をスリープ状態にし、
前記携帯端末の電源がスリープ状態の場合に前記電源操作モードを選択する
ことを特徴とする請求項５乃至７のいずれか一項に記載の携帯端末の制御方法。
【請求項９】
携帯端末の状態または外部環境に応じて
タッチパネルからのタッチ入力信号を入力情報として受付ける情報入力モードと、
前記タッチ入力信号を電源操作のトリガとする電源操作モードと、
のいずれかを選択するステップを
有することを特徴とする携帯端末の制御プログラム。
【請求項１０】
端末の状態または外部環境をセンサで計測するステップと、
前記センサの出力に基づいてユーザの前記携帯端末の操作開始を予知するステップと、
前記操作開始の予知に基づいて、前記情報入力モードと前記電源操作モードのいずれを選択するか決定するステップと
を有することを特徴とする請求項９に記載の携帯端末の制御プログラム。
【発明の詳細な説明】
【技術分野】
【０００１】
本発明は、携帯端末および携帯端末の制御方法に関する。
【背景技術】
【０００２】
現在、タッチパネルを備えた携帯端末が普及している。この種の端末の多くは、省電力モードを備え、所定時間入力が無いと、スタンバイモードやスリープモードなどの省電力モードに移行するように設計されている。
【０００３】
ユーザが操作を再開したい場合、電源操作キーを押して携帯端末をアクティブにすれば良いが、電源操作キーを押すことが簡単でない場合がある。例えば、暗闇の中では、電源操作キーを探すのが困難であり、操作開始に手間取ることが考えられる。そこで、電源操作キーを押すよりも簡単に、操作を開始したいという要望がある。この要望に応える方法が、種々提案されている。
【０００４】
例えば特許文献１には、携帯端末で、ユーザの操作を予知した場合に、スリープモードからの復帰を早める技術が開示されている。この携帯端末は、地磁気方位センサ、ＧＰＳセンサ、加速度センサ、角速度センサなど多数のセンサを備えている。そして、スリープ状態では、例えば加速度センサ以外のセンサへの電力の供給を停止する。この状態で、所定値以上の加速度を検出した場合に、各センサへの電源の供給を再開し、通常モードに戻る。なお操作の予知は、加速度センサ以外の、消費電力の小さいセンサを用いて行っても良い。以上の動作により、電源操作キーを押すよりも速くスリープモードから通常モードに復帰し、操作を再開することができる。
【先行技術文献】
【特許文献】
【０００５】
【特許文献１】国際公開第２００９／００８４１１号
【発明の概要】
【発明が解決しようとする課題】
【０００６】
しかしながら、特許文献１の技術では、想定よりも消費電力の節約ができないという問題があった。特許文献１の技術では、センサを用いた操作の予知のみで、通常モードに戻る。このため、通常モードに戻っても、実際にはユーザが操作を行わない場合、すなわち結果的に誤検知になる場合がある。誤検知が発生すると、通常モードに戻る電力が無駄になるため、設計思想から期待されるほど消費電力を節約することができていなかった。
【０００７】
本発明は、上記の問題点に鑑みてなされたものであり、スリープモードから通常モードへの復帰を無駄なく簡単な操作で行うことができる携帯端末を提供することを目的としている。
【課題を解決するための手段】
【０００８】
上記の課題を解決するため、携帯端末は、情報入力モード／電源操作モード切換手段を有する。情報入力モード／電源操作モード切換手段は、携帯端末制御手段の制御により、タッチパネルから入力されるタッチ入力信号の利用の仕方が異なる２つのモードの切り替えを行う。一方の情報入力モードでは、タッチ入力信号を、そのまま入力情報受付手段に伝送し、入力情報として利用する。他方の電源操作モードでは、タッチ入力信号を、電源状態をスリープ状態から通常状態に復帰させるトリガとして利用する。このモードでタッチ入力を行うと、携帯端末の電源状態をスリープ状態から通常状態に復帰させることができる。
【発明の効果】
【０００９】
本発明の効果は、スリープモードから通常モードへの復帰を無駄なく簡単な操作で行うことができる携帯端末を提供できることである。
【図面の簡単な説明】
【００１０】
【図１】第１の実施形態を示すブロック図である。
【図２】第２の実施形態を示すブロック図である。
【図３】第２の実施形態の電源状態の種類を表す表である。
【図４】第２の実施形態の電源操作スイッチ周辺の具体例を示すブロック図である。
【図５】第２の実施形態の情報入力モード／電源操作モード切換部の具体例を示すブロック図である。
【図６】第２の実施形態の情報入力モード／電源操作モード切換部の別の状態を示すブロック図である。
【図７】第２の実施形態の電源操作スイッチ制御部の具体例を示すブロック図である。
【図８】第３の実施形態を示すブロック図である。
【図９】第３の実施形態のセンサの構成例を示すブロック図である。
【図１０】第３の実施形態の動作を示すフローチャートである。
【図１１】第３の実施形態の操作予知動作の一例を示すフローチャートである。
【図１２】第３の実施形態の操作予知動作の別の一例を示すフローチャートである。
【図１３】第３の実施形態を適用した携帯端末の一例を示す平面模式図である。
【発明を実施するための形態】
【００１１】
以下、図面を参照しながら、本発明の実施形態を詳細に説明する。但し、以下に述べる実施形態には、本発明を実施するために技術的に好ましい限定がされているが、発明の範囲を以下に限定するものではない。なお各図面の同様の構成要素には同じ番号を付し、説明を省略する場合がある。
【００１２】
（第１の実施形態）
図１は、第１の実施形態の携帯端末を示すブロック図である。携帯端末は、携帯端末制御手段１と、タッチパネル２と、情報入力受付手段３と、電源操作手段４と、電源操作キー５と、情報入力モード／電源操作モード切換手段６とを有する。
【００１３】
携帯端末制御手段１は、電源を備え携帯端末全体を制御する。
【００１４】
タッチパネル２は、タッチ入力操作に応じた入力信号を発生する。
【００１５】
情報入力受付手段３は、タッチパネル２から出力されたタッチ入力信号を情報入力として受付ける。
【００１６】
電源操作手段４は、携帯端末制御手段１が制御する電源状態をアクティブ状態とスリープ状態の間で切り替える操作を行う。
【００１７】
電源操作キー５は、電源操作手段４を操作するための外部からの操作を受け付ける。
【００１８】
情報入力モード／電源操作モード切換手段６は、携帯端末制御手段１の制御により、タッチパネルから入力される、タッチ入力信号の利用の仕方が異なる２つのモードの切り替えを行う。なお、２つのモードの切り替えでは、例えば、回路の接続先を切り替えるスイッチ６１を利用して実行することができる。
【００１９】
２つのモードの一方の、情報入力モードでは、タッチ入力信号を、そのまま情報入力受付手段３に伝送し、入力情報として利用する。他方の、電源操作モードでは、タッチ入力信号を、電源操作手段４を操作するトリガとして利用する。このモードでタッチ入力があると、電源操作手段４が操作されて、電源状態がアクティブとスリープの間で切り替わる。すなわち、タッチパネル２が電源操作キー５と同じ機能を持つようになる。
【００２０】
タッチパネル２は一般的に電源操作キー５よりも面積が大きいので、探索や操作が容易である。このため、例えば暗闇の中で電源がスリープ状態にあった時に、ユーザはタッチパネル２を見つけてタッチするだけで、容易に電源をアクティブ状態にすることができる。この操作は、ユーザが意図して行うものであるため、特許文献１のようなユーザが意図しないスリープ状態からアクティブ状態への切り替えが発生しない。その結果、消費電力の節約することができる。
【００２１】
以上説明したように、本実施形態によれば、スリープ状態からアクティブ状態への復帰を無駄なく簡単な操作で行うことができる
（第２の実施形態）
図２は、第２の実施形態の携帯端末を示すブロック図である。携帯端末は、制御部１００と、タッチパネル２００と、情報入力受付部３００と、電源操作スイッチ４００と、電源操作キー５００と、情報入力モード／電源操作モード切換部６００とを有する。また、電力を供給する電池７００と、表示を行うＬＣＤ８００（Ｌｉｑｕｉｄ  Ｃｒｙｓｔａｌ  Ｄｉｓｐｌａｙ）とを有する。
【００２２】
制御部１００は、ＣＰＵ１１０（Ｃｅｎｔｒａｌ  Ｐｒｏｃｅｓｓｉｎｇ  Ｕｎｉｔ）と、電源制御ＩＣ１２０（Ｉｎｔｅｇｒａｔｅｄ  Ｃｉｒｃｕｉｔ）とを有し、携帯端末全体を制御する。ＣＰＵ１１０は、情報入力受付部３００から出力された入力情報の処理を行う。また、その他の携帯端末に関わる処理も行う。電源制御ＩＣ１２０は、携帯端末各部に供給する電力を制御する。
【００２３】
タッチパネル２００は、タッチ操作に応じた入力信号を発生する。
【００２４】
情報入力受付部３００は、タッチパネル２から出力されたタッチ入力信号を入力情報として受付ける。
【００２５】
電源操作スイッチ４００は、電源制御ＩＣの制御する電源状態をアクティブ状態（通常状態）とスリープ状態の間で切り替える操作を行う。
【００２６】
電源操作キー５００は、電源操作スイッチ４００を操作するための外部からの操作を受け付ける。つまり、電源操作キー５００を１回押すごとに、アクティブ状態とスリープ状態とが切り替わる。
【００２７】
情報入力モード／電源操作モード切換部６００は、制御部１００の制御により、スリープ状態における、タッチ入力信号の利用の仕方についての２つのモードの切り替えを行う。一方の情報入力モードでは、タッチ入力信号を、そのまま入力情報受付手段３００に伝送し、入力情報として利用する。他方の電源操作モードでは、タッチ入力信号を電源操作信号に変換して、電源操作スイッチ４００を操作する信号として利用する。
【００２８】
上記の動作をすることにより携帯端末は、図３に示す電源状態を取ることができる。１つは、通常状態であり、ＣＰＵ１１０がアクティブ、ＬＣＤ８００が表示ＯＮ、タッチパネルがアクティブかつ情報入力モードである。また、スリープ状態Ａでは、ＣＰＵがサスペンド（一時停止）、ＬＣＤ８００が表示ＯＦＦ、タッチパネルがスタンバイ（入力不可）である。この状態は、一般的なスリープ状態であり、レジューム手段（アクティブ状態への復帰手段）は、電源キーを操作する（押す）ことである。本実施形態では、このスリープ状態Ａに加えて、スリープ状態Ｂを設定する。スリープ状態Ｂでは、ＣＰＵがサスペンド（一時停止）、ＬＣＤ８００が表示ＯＦＦ、タッチパネルがアクティブかつ電源操作モードである。電源操作モードでは、タッチ入力がレジューム手段になる。すなわち、タッチパネル２００が電源操作キー５００と同じ機能を持つようになる。タッチパネル２００は一般的に電源操作キー５００よりもはるかに大きいので、探索や操作が容易である。さらに、この操作は、ユーザが意図して行うものであるため、特許文献１のようなユーザが意図しないアクティブ状態への復帰が発生しない。
【００２９】
スリープ状態Ａとスリープ状態Ｂの切り替えは、例えば、回路の接続先を切り替えるスイッチ６１０を利用して実行することができる。図２のスイッチ６１０は概念的に描いたものであるが、具体的な構成については後述する。
【００３０】
図４は、電源操作スイッチ４００周辺の具体的な構成例を示すブロック図である。電源操作スイッチ４００は、電源操作信号発生部４１０と、情報入力モード／電源操作モード切換部６００によって制御されるスイッチ４１１と、電源操作キー５００によって制御されるスイッチ４１２とを有する。情報入力モード／電源操作モード切換部６００は、スイッチ４１１を操作するための電源操作スイッチ操作部６２０を有している。
【００３１】
電源操作キー５００が押されると、スイッチ４１２がオンになり、電源操作信号発生部４１０から、電源操作信号が電源制御ＩＣ１２０に送信される。電源制御ＩＣ１２０に電源操作信号が入力されると、電源制御ＩＣは、電源状態をスリープ状態から通常状態、または通常状態からスリープ状態へと切り替える。
【００３２】
スリープ状態Ｂでは、情報入力モード／電源操作モード切換部６００が、電源操作モードになっている。この状態では、タッチパネル２００からの入力信号がトリガとなり、電源操作スイッチ操作部６２０がスイッチ４１１をオンにする。そして、電源操作信号が電源制御ＩＣ１２０に送信される。これにより、電源制御ＩＣ１２０は電源の状態をスリープ状態Ｂから通常状態に変更する。上記の説明から明らかなように、スリープ状態Ｂでは、電源操作モードでは、タッチパネル２００が、電源操作キー５００と同じ働きをする。
【００３３】
図５は情報入力モード／電源操作モード切換部６００のスイッチ６１０の具体的な構成例を示すブロック図である。タッチパネルの各画素、ｐｘ１１、ｐｘ１２、ｐｘ１３、・・・は、それぞれ対応するスイッチ、ｓｗ１１、ｓｗ１２．ｓｗ１３、・・・に出力される。情報入力モードでは、各スイッチは、情報入力受付部側に接続され、タッチパネル２００の各画素からの入力信号は、情報入力受付部に入力される。上記の働きをする１つ１つのスイッチは、例えば、トランジスタ２個を用いて構成することができる。そして全体は、多数のスイッチを半導体チップ上に集積化することで構成することができる。これらの技術は周知技術であるため、詳しい説明は省略する。
【００３４】
一方、電源操作モードでは、図６に示すように、各スイッチ、ｓｗ１１、ｓｗ１２．ｓｗ１３、・・・は、電源スイッチ操作部側に接続され、入力信号は、電源操作スイッチ操作部に向かって出力される。
【００３５】
図７は電源操作スイッチ操作部６２０の具体例を示すブロック図である。タッチパネル２００の各画素、ｐｘ１１、ｐｘ１２、ｐｘ１３、・・・、ｐｘｍｎからの信号は、電源操作スイッチ操作部６１０に入力される。この構成では、どのピクセルから信号入力があっても、電源操作スイッチ操作部６１０は、スイッチ４１１をオンにするように動作する。すなわち、ユーザが任意のピクセルにタッチすることで、スイッチ４１１がオンになり、電源状態をスリープ状態Ｂから通常状態に復帰することができる。なお、一つ一つのピクセルからの信号は微弱であるため、入力信号を増幅するアンプ６２１を設けて、スイッチ４１１を駆動できる大きさの信号としても良い。
【００３６】
以上説明したように、本実施形態によれば、タッチパネルが電源操作キーと同じ働きをする状態を作り、タッチパネルを面積の大きな電源操作キーとして利用することができる。
【００３７】
（第３の実施形態）
図８は、第３の実施の形態を示すブロック図である。本実施形態の携帯端末は、第２の実施形態の構成に加えて、センサ群９００を有し、制御部１００が操作開始予知部１３０を有している。
【００３８】
図９は、センサ群９００を構成するセンサの例を示すブロック図である。この例では、センサ群９００は、ＧＰＳ９１０、加速度センサ９２０、照度センサ９３０、ガスセンサ９４０、風速センサ９５０を保持する。
【００３９】
操作開始予知部１３０は、これらのセンサからの出力に基づいて、携帯端末の操作が開始されることを予知する。そして、スリープ状態Ａで操作開始を予知すると、スリープ状態Ｂに切り替える。すなわち、情報入力モード／電源操作モード切換部６００を電源操作モードにして、タッチパネルを電源操作キーとして使用できるようにする。
【００４０】
図１０は上記の携帯端末の動作を示すフローチャートである。まず電源操作キーを押して電源を通常状態にする（Ｓ１）。この状態で所定時間操作が無い場合（Ｓ２＿Ｙｅｓ）、制御部は、電源状態をスリープ状態Ａにする（Ｓ３）。この時、操作開始予知部と、操作開始予知に使用するセンサはアクティブにしておく。一方、所定時間内に操作があった場合は（Ｓ２＿Ｎｏ）、Ｓ１に戻り通常モードを継続する。
【００４１】
Ｓ３の状態で、操作開始予知部が操作開始を予知すると（Ｓ４_Ｙｅｓ）、制御部は、電源状態をスリープ状態Ｂにする（Ｓ５）。これにより、情報入力モード／電源操作モード切換部は、電源操作モードになり、タッチパネルが電源操作キーとして働くようになる。一方操作開始が予知されない場合は（Ｓ４_Ｎｏ）、Ｓ３に戻る。
【００４２】
Ｓ５のスリープ状態Ｂで、タッチパネルがタッチを検出すると（Ｓ６＿Ｙｅｓ）、電源操作キーが押されたのと同じ状態になり、Ｓ１に戻り、電源状態が通常状態になる。
【００４３】
一方、所定時間内にタッチが検出されない場合は（Ｓ６＿Ｎｏ）、Ｓ４のスリープ状態Ａに戻る。
【００４４】
上記したＳ４の操作開始予知は、種々の方法で実施することが可能であるが、ここでは具体的な例を２つ示す。図１１は、ＧＰＳと加速度センサを組み合わせて用いる例を示すフローチャートである。ここで、操作開始予知部は、ユーザが操作を開始した可能性が高い加速度の条件を記憶しているものとする。この条件は、例えば、ユーザが装置を持ったときの加速度などの経験値に基づいて、所定の幅を持って設定する。
【００４５】
まず操作開始予知部とＧＰＳ以外をスリープ状態にする（Ｓ１０１）。その後、ＧＰＳは間欠動作を行い、携帯端末の位置情報を取得する。操作開始予知部はＧＰＳの出力に基づいて、位置変化（速度）が所定値以上であるかを判定する（Ｓ１０２）。位置情報に所定値以上の変化がある場合は（Ｓ１０２＿Ｙｅｓ）、ユーザが移動状態のため携帯端末の操作を開始することは無いと判定し、Ｓ１０１に戻る。一方、ＧＰＳによる位置情報が変化無しだった場合、ユーザが停止しており、装置使用を開始する可能性が高いと判定し、加速度センサを一定の時間アクティブにする（Ｓ１０３）。ここで、加速度の変化を検出すると、操作開始予知部は、検出した加速度が、操作開始予知の条件を満足するか判定する（Ｓ１０４）。条件を満足すると判定した場合は（Ｓ１０４＿Ｙｅｓ）、操作開始を予知したと決定する（Ｓ１０５）。一方、加速度が操作開始予知の条件を満足しない場合は（Ｓ１０４＿Ｎｏ）、Ｓ１０１に戻る。
【００４６】
図１２は、ＧＰＳと照度センサを組み合わせて用いる例を示すフローチャートである。ここで、操作開始予知部は、ユーザが操作を開始した可能性が高い照度変化の条件を記憶しているものとする。この条件は、例えば、ユーザが携帯端末を鞄などから出したときの照度変化などの経験値に基づいて、所定の幅を持って設定する。
【００４７】
まず操作開始予知部とＧＰＳ以外をスリープ状態にする（Ｓ２０１）。その後、ＧＰＳは間欠動作を行い、装置の位置情報を取得する。操作開始予知部はＧＰＳの出力に基づいて、携帯端末の位置が所定値以上移動したかを判定する（Ｓ２０２）。位置情報に所定値以上の変化がある場合は（Ｓ２０２＿Ｙｅｓ）、ユーザが移動状態のため携帯端末の操作を開始することは無いと判定し、Ｓ２０１に戻る。一方、ＧＰＳによる位置情報が変化無しだった場合、ユーザが停止しており、携帯端末の使用を開始する可能性が高いと判定し、照度センサを一定の時間アクティブにする（Ｓ２０３）。ここで、照度の変化を検出すると、操作開始予知部は、検出した照度変化が、操作開始予知の条件を満足するか判定する（Ｓ２０４）。条件を満足すると判定した場合は（Ｓ２０４＿Ｙｅｓ）、操作開始を予知したと決定する（Ｓ２０５）。一方、照度変化が操作開始予知の条件を満足しない場合は（Ｓ２０４＿Ｎｏ）、Ｓ２０１に戻る。
【００４８】
図１３は、本実施形態を適用した携帯端末１０００の外観を示す平面模式図である。これは、いわゆるスマートフォンであり、筐体１１００の一面の大部分にＬＣＤ８００が配置され、それに重畳してタッチパネル２００が設けられている。電源操作キー５００は、筐体１１００の側面に指１本で操作しやすい程度の大きさで設けられている。
【００４９】
以上、説明したように、本実施形態では、携帯端末の電源がスリープ状態の場合に、ユーザが操作を開始する可能性が高い時だけ、タッチパネルが電源操作キーと同じ働きをさせる。このため、ユーザは面積が広く操作しやすいタッチパネルで電源を操作することができる。さらに、ユーザが操作開始を意図した時だけ上記の状態となるため、無駄な通常モードへの復帰が抑制され、消費電力を節約することができる。
【００５０】
以上、上述した実施形態を模範的な例として本発明を説明した。しかしながら、本発明は、上記実施形態には限定されない。即ち、本発明は、本発明のスコープ内において、当業者が理解し得る様々な態様を適用することができる。
【符号の説明】
【００５１】
１    携帯端末制御手段
２、２００    タッチパネル
３    情報入力受付手段
４    電源操作手段
５、５００    電源操作キー
６    情報入力モード／電源操作モード切換手段
１００    制御部
１１０    ＣＰＵ
１２０    電源制御ＩＣ
３００    情報入力受付部
４００    電源操作スイッチ
６００    情報入力モード／電源操作モード切換部
７００    電池
８００    ＬＣＤ
９００    センサ群
１０００    携帯端末
１１００    筐体
【図１】
2019016902.tif 000003
【図２】
2019016902.tif 000004
【図３】
2019016902.tif 000005
【図４】
2019016902.tif 000006
【図５】
2019016902.tif 000007
【図６】
2019016902.tif 000008
【図７】
2019016902.tif 000009
【図８】
2019016902.tif 000010
【図９】
2019016902.tif 000011
【図１０】
2019016902.tif 000012
【図１１】
2019016902.tif 000013
【図１２】
2019016902.tif 000014
【図１３】
2019016902.tif 000015